(57)【要約】【課題】バックアップ力向上を図り得る医療用長尺体を提供する。【解決手段】医療用長尺体（カテーテル１００）は、直線状のシャフト部１１０と、シャフト部より先端側に延伸する中間部１２０と、中間部より先端側に延伸し、第１曲り部１３１が形成された先端部１３０と、を有し、シャフト部の軸線と直交する平面を第１平面Ｐ１、第１平面と直交する平面を第２平面と設定したとき、中間部は、２つ以上の第２曲り部１２１から構成される振幅を持つ波形領域を有しており、第２曲り部は、中間部及びシャフト部を第２平面に投影した際、波形領域の振幅が最も小さくなる第２平面Ｐ２と交差する方向に湾曲しており、第１曲り部と第２曲り部の湾曲方向は異なる、ことを特徴とする。【選択図】図１
2015188652.tif 000002
【特許請求の範囲】
【請求項１】
直線状のシャフト部と、
前記シャフト部より先端側に延伸する中間部と、
前記中間部より先端側に延伸し、第１曲り部が形成された先端部と、を有し、
前記シャフト部の軸線と直交する平面を第１平面、前記第１平面と直交する平面を第２平面と設定したとき、
前記中間部は、２つ以上の第２曲り部から構成される振幅を持つ波形領域を有しており、
前記第２曲り部は、前記中間部及び前記シャフト部を前記第２平面に投影した際、前記波形領域の振幅が最も小さくなる前記第２平面と交差する方向に湾曲しており、
前記第１曲り部と前記第２曲り部の湾曲方向は異なる、
ことを特徴とする医療用長尺体。
【請求項２】
前記第２曲り部は、前記中間部及び前記シャフト部を前記第２平面に投影した際、前記波形領域の振幅が最も小さくなる前記第２平面と直交する方向に湾曲している、請求項１に記載の医療用長尺体。
【請求項３】
前記中間部の波形領域は、Ｓ字状に曲がった形状を有する、請求項１または請求項２に記載の医療用長尺体。
【請求項４】
前記Ｓ字状に曲がった形状は点対称である、請求項３に記載の医療用長尺体。
【請求項５】
動脈から冠状動脈開口部に先端を導入するための冠状動脈用カテーテルであって、
カテーテル本体は、自然状態において、直線状のシャフト部と、前記シャフト部よりも先端側に延伸し２つ以上の第２曲り部からなる波形領域を有する中間部と、前記中間部より先端側に延伸し第１曲り部を有する先端部と、前記先端部より先端側に延伸する最先端部とから構成されており、
前記冠状動脈用カテーテルは、腕の動脈を介して導入して前記最先端部を前記冠状動脈開口部に係合した際、
前記中間部は、前記冠状動脈開口部と反対側の上行大動脈内壁と当接し、
前記波形領域は、隣り合う前記第２曲り部が形成する平面が前記冠状動脈開口部と反対側の上行大動脈内壁と当接するように構成されている、
ことを特徴とする冠状動脈用カテーテル。
【発明の詳細な説明】
【技術分野】
【０００１】
本発明は、医療用長尺体、特にカテーテルに関する。
【背景技術】
【０００２】
近年、カテーテルを用いて冠状動脈内の病変部の治療を行うＰＣＩ（Ｐｅｒｃｕｔａｎｅｏｕｓ  Ｃｏｒｏｎａｒｙ  Ｉｎｔｅｒｖｅｎｔｉｏｎ）、ＰＴＣＡ（Ｐｅｒｃｕｔａｎｅｏｕｓ  Ｔｒａｎｓｌｕｍｉｎａｌ  Ｃｏｒｏｎａｒｙ  Ａｎｇｉｏｐｌａｓｔｙ）という手技が知られている。ＰＣＩ、ＰＴＣＡの手技では、冠状動脈の入口部にガイディングカテーテルを留置し、そのガイディングカテーテルを介して冠状動脈内に造影剤や各種の治療デバイスを導入することで、冠状動脈内の狭窄部の治療を行っている。
【０００３】
このようなガイディングカテーテルを用いた手技では、手技を円滑かつ確実に進めるため、及び、冠状動脈内に造影剤や各種の治療デバイスを安全に導入するため、体内の所定の位置に挿入したカテーテルを、その位置からずれないように保持することが重要である。例えば、血管内に留置したカテーテルは、カテーテルを介して造影剤や各種の治療デバイスを導入する場合、造影剤の注入による反動や狭窄部を通過する際に生じる反動を受け止めるバックアップ力が必要である。
【０００４】
従来、血管内に留置するカテーテルにバックアップ力を付与する方法として、様々な提案がなされている。例えば、特許文献１記載の造影剤注入用のカテーテルでは、血管内壁に接する部分の断面が、他の部分と異なり扁平形状に形成され、その接触部分における血管内壁との接触面積を増加させることによって、バックアップ力向上が図られている。
【先行技術文献】
【特許文献】
【０００５】
【特許文献１】特許第２８７５３１５号公報
【発明の概要】
【発明が解決しようとする課題】
【０００６】
これに対し、本発明者らは、医療用長尺体に特定の湾曲形状を設けることで、医療用長尺体の生体管腔壁に対する接触面積を増加させ、医療用長尺体のバックアップ力を向上させることを鋭意検討した。
【０００７】
本発明は、このような検討の結果なされたものであり、バックアップ力向上を図り得る医療用長尺体を提供することを目的とする。
【課題を解決するための手段】
【０００８】
上記目的を達成するための本発明の医療用長尺体は、直線状のシャフト部と、前記シャフト部より先端側に延伸する中間部と、前記中間部より先端側に延伸し、第１曲り部が形成された先端部と、を有し、前記シャフト部の軸線と直交する平面を第１平面、前記第１平面と直交する平面を第２平面と設定したとき、前記中間部は、２つ以上の第２曲り部から構成される振幅を持つ波形領域を有しており、前記第２曲り部は、前記中間部及び前記シャフト部を前記第２平面に投影した際、前記波形領域の振幅が最も小さくなる前記第２平面と交差する方向に湾曲しており、前記第１曲り部と前記第２曲り部の湾曲方向は異なる、ことを特徴とする。ここで、波形領域とは、少なくとも２つの曲り部を有する領域である。例えば、波形領域は、正弦波、のこぎり波、矩形波、台形波、三角波、水面波、及び、それらの合成波のような形状を形成していてもよい。なお、波形領域の各曲り部は、異なる振幅を有していてもよい。また、波形領域の振幅とは、医療用長尺体のシャフト部の先端と医療用長尺体の先端部の基端とを直線で結んだ場合、曲り部からその直線に引いた垂線の最大距離である。
【０００９】
また、上記目的を達成するための本発明の冠状動脈用カテーテルは、動脈から冠状動脈開口部に先端を導入するための冠状動脈用カテーテルであって、カテーテル本体は、自然状態において、直線状のシャフト部と、前記シャフト部よりも先端側に延伸し２つ以上の第２曲り部からなる波形領域を有する中間部と、前記中間部より先端側に延伸し第１曲り部を有する先端部と、前記先端部より先端側に延伸する最先端部とから構成されており、前記冠状動脈用カテーテルは、腕の動脈を介して導入して前記最先端部を前記冠状動脈開口部に係合した際、前記中間部は、前記冠状動脈開口部と反対側の上行大動脈内壁と当接し、前記波形領域は、隣り合う前記第２曲り部が形成する平面が前記冠状動脈開口部と反対側の上行大動脈内壁と当接するように構成されている、ことを特徴とする。
【発明の効果】
【００１０】
上記構成を有する医療用長尺体および冠状動脈用カテーテルは、中間部に２つ以上の第２曲り部によって形成される平面的な広がりを有する波形領域を有している。具体的には、第２曲り部は、例えば、第１曲り部と異なる方向に湾曲しており、かつ、中間部及びシャフト部を第２平面に投影した際、波形領域の振幅が最も小さくなる第２平面と直交する方向に湾曲している。そのため、中間部は、医療用長尺体（カテーテル）の先端部の第１曲り部とは異なる方向に、前記第２曲り部により形成される平面的な広がりを有している。したがって、医療用長尺体（カテーテル）の先端が目的の部位へと挿入された際、中間部は、医療用長尺体（カテーテル）の挿入先と反対側の生体管腔内壁と接し、医療用長尺体（カテーテル）の表面と生体管腔内壁との間に広い接触面積が得られる。これにより、本発明は、医療用長尺体（カテーテル）のバックアップ力を向上させることができる。
【００１１】
また、前記中間部の波形形状は、Ｓ字状に曲がった形状を有するようにすれば、シャフト部の軸まわりに回転させる力が加わったとき、中間部は複数の曲り部で管状器官の内壁と緩衝し、回転を阻害する反力が生体管腔の内壁から中間部に作用し易い。従って、軸まわりの回転に対する医療用長尺体（カテーテル）の安定性が増す。
【００１２】
また、前記Ｓ字状に曲がった形状は点対称であるようにすれば、生体管状器官の内壁と緩衝する中間部の複数の曲り部に対し、医療用長尺体（カテーテル）の回転を阻害する反力がバランス良く作用する。従って、軸まわりの回転に対する安定性のさらなる向上が期待できる。
【図面の簡単な説明】
【００１３】
【図１】実施形態のカテーテルの斜視図である。
【図２】実施形態のカテーテルが大動脈に留置された状態を模式的に示す図である。
【図３】図２の３−３線に沿う断面図である。
【図４】大動脈に留置されたカテーテルを通じてデバイスが導入される様子を模式的に示す図である。
【図５】変形例のカテーテルを示す図である。
【発明を実施するための形態】
【００１４】
以下、図面を参照して本発明の実施形態を説明する。なお、図面の寸法比率は、説明の都合上、誇張されて実際の比率と異なる。
【００１５】
図１に示すように、実施形態のカテーテル１００（冠状動脈用カテーテル）は、直線状のシャフト部１１０と、シャフト部１１０より先端側に延伸する中間部１２０と、中間部１２０より先端側に延伸する先端部１３０と、を有する。カテーテル１００は、先端部１３０より先端側に延伸する最先端部１６０を有する。カテーテル１００は、シャフト部１１０の基端に接続したハブ１４０を有する。
【００１６】
カテーテル１００は、虚血性心疾患治療の経皮的冠状動脈形成術（ＰＣＩ、ＰＴＣＡ）において、血管内への造影剤の注入、またはバルーンカテーテル等の治療用デバイスの導入に用いられる。
【００１７】
シャフト部１１０、中間部１２０、先端部１３０、および最先端部１６０は、一体的に形成されている。シャフト部１１０、中間部１２０、先端部１３０、および最先端部１６０は、可撓性を有する。先端部１３０および中間部１２０は、血管内でカテーテル１００を保持するため、その機能を良好に発揮できるように、ある程度の弾性を有することが好ましい。
【００１８】
シャフト部１１０、中間部１２０、先端部１３０、および最先端部１６０を形成する材料は、特に限定されず、公知の材料を適用できる。シャフト部１１０、中間部１２０、先端部１３０、および最先端部１６０は、例えば、複数の層が同心的に積層された構造を有する。各層を形成する材料は、例えば、ポリアミド系樹脂（例えば、ナイロン１１、ナイロン１２、ナイロン６）、ポリエステル系ポリアミド系樹脂（例えば、グリラックス（商品名、メーカーＤＩＣ））、ポリエーテル系ポリアミド樹脂（例えば、ペバックス（商品名、メーカー／アトケム））、ポリウレタン、ＡＢＳ樹脂、ポリエステルエラストマー樹脂、ポリウレタンエラストマー樹脂、フッ素系樹脂（ＰＦＡ、ＰＴＦＥ、ＥＴＦＥ等）である。また、Ｘ線透視下で血管内におけるカテーテル１００の位置が確認できるように、Ｘ線不透過材料を含ませることが好ましい。Ｘ線不透過材料は、例えば、硫酸バリウム、酸化ビスマス、タングステンである。
【００１９】
シャフト部１１０、中間部１２０、先端部１３０、および最先端部１６０は、内腔を有する管形状である。また、ハブ１４０、シャフト部１１０、中間部１２０、先端部１３０、および最先端部１６０の内腔は、互いに連通している。ハブ１４０の基端には、ハブ１４０と連通する基端開口部が形成されている。そして、最先端部１６０の先端には、基端開口部から連通している先端開口部が形成されている。造影剤またはデバイスは、ハブ１４０の基端に形成された基端開口部から入り、最先端部１６０の先端に形成された先端開口部から出る。
【００２０】
また、最先端部１６０は、自然状態で略直線状である。なお、最先端部１６０は５〜５０ｍｍ程度であることが好ましい。これにより、最先端部１６０は、冠状動脈開口部に入り込み過ぎず、安全に留置することができる。また、カテーテル１００の最先端部１６０の基端とカテーテル１００の先端部１３０の先端との連結部は、直線状の形状でも曲り形状でもよい。例えば、後述のようにカテーテル１００を橈骨動脈から挿入し、左冠状動脈の冠状動脈開口部に留置する場合、カテーテル１００内からガイドワイヤを抜いた際のカテーテル１００の形状復帰の力により、カテーテル１００の最先端部１６０を冠状動脈開口部に留置することも可能である。そのため、カテーテル１００を橈骨動脈から挿入し、左冠状動脈の冠状動脈開口部に留置する場合には、カテーテル１００の最先端部１６０の基端とカテーテル１００の先端部１３０の先端との連結部は、第１曲り部１３１および第２曲り部１２１とは異なる曲り部を形成している方が好ましい。
【００２１】
シャフト部１１０は、自然状態で実質的に直線形状を有する。「自然状態」とは、外力が作用しない状態を意味する。以下の説明においても同様の意味として用いる。シャフト部１１０の長さは、特に限定されないが、例えば４００ｍｍ〜１２００ｍｍである。
【００２２】
先端部１３０は、自然状態で曲った形状を有する。例えば、この曲った形状はＵ字状である。先端部１３０は、曲がった形状に形状付けられた第１曲り部１３１を有する。第１曲り部１３１は、湾曲した形状を有する。
【００２３】
中間部１２０は、２つの第２曲り部１２１から構成される振幅を持つ波形領域を有する。シャフト部１１０の軸線と直交する平面を第１平面Ｐ１、第１平面Ｐ１と直交する平面を第２平面Ｐ２と設定したとき、第２曲り部１２１は、中間部１２０およびシャフト部１１０を第２平面に投影した際、中間部１２０の波形領域の振幅が最も小さくなる第２平面Ｐ２と直交する方向に湾曲している。また、第２曲り部１２１の湾曲方向は、第１曲り部１３１の湾曲方向と異なる。ここで、第１曲り部１３１の湾曲方向とは、カテーテル１００の先端部１３０の先端と基端とを結ぶ直線に垂直で、かつ、第１曲り部１３１に向かう方向である。また、第２曲り部１２１の湾曲方向とは、カテーテル１００のシャフト部１１０の先端と先端部１３０の基端とを結ぶ直線に垂直で、かつ、第２曲り部１２１に向かう方向である。
【００２４】
例えば、自然状態における中間部１２０の波形形状は、２つの第２曲り部１２１を有し、Ｓ字状に曲がった形状であってもよい。これにより、カテーテル１００は、簡単な形状で中間部１２０と生体管腔壁との接触面積を増やすことができ、バックアップ力を向上させることができる。また、中間部１２０の波形形状がＳ字状に曲がっている場合、中間部１２０のＳ字形状は、カテーテル１００の先端部１３０の基端とカテーテル１００のシャフト部１１０の先端とを結ぶ直線に対して点対称であることが好ましい。これにより、カテーテル１００のバックアップ力をより向上させることができる。
【００２５】
次にカテーテル１００の使用方法について述べる。
【００２６】
本実施形態のカテーテル１００は、術者が、セルジンガー法によって、イントロデューサー用シースを橈骨動脈、上腕動脈または大腿動脈等に穿刺し、イントロデューサー用シースを介してカテーテル１００を右冠状動脈又は左冠状動脈に繋がる冠状動脈開口部に留置することによって使用される。なお、図２及び図４は、イントロデューサー用シースが橈骨動脈又は上腕動脈に留置され、カテーテル１００が橈骨動脈又は上腕動脈を通じて左冠状動脈ＬＣに繋がる左冠状動脈開口部Ｏ１に留置される様子を表わしている。
【００２７】
以下では、図２及び図４を参考にして、術者がカテーテル１００を腕の橈骨動脈を通じて左冠状動脈ＬＣに繋がる左冠状動脈開口部Ｏ１に留置する場合のカテーテル１００の使用方法について記載する。
【００２８】
まず、術者は、セルジンガー法により、イントロデューサー用シースを橈骨動脈に穿刺し、イントロデューサー用シースを介してガイドワイヤを動脈内に挿入する。次に、カテーテル１００の内腔にガイドワイヤを挿入し、ガイドワイヤを先行させつつ、カテーテル１００を動脈内に挿入する。この際、カテーテル１００は、先行するガイドワイヤにより、ガイドワイヤの形状に沿って、最先端部１６０、先端部１３０、および中間部１２０が略直線状に延ばされた状態でなっている。
【００２９】
術者は、ガイドワイヤを先行させつつ、ガイドワイヤ及びカテーテル１００を押し進め、ガイドワイヤ及びカテーテル１００を腕頭動脈ＢＲから上行大動脈ＡＳに向けて挿入する。そして、腕頭動脈ＢＲより上行大動脈ＡＳ内に挿入されたカテーテル１００は、上行大動脈ＡＳ内の左冠状動脈ＬＣの方向へ導入される。カテーテル１００は、上行動脈ＡＳ内をそのまま押し進められると、カテーテル１００の最先端部１６０と先端部１３０との間に形成される曲り部がバルサルバ洞に当接する。この際、最先端部１６０と先端部１３０との間に形成される曲り部は、カテーテル１００内に挿入されたガイドワイヤによって略直線状になっている。
【００３０】
上述の状態において、術者がカテーテル１００内に挿入されたガイドワイヤを引き抜くと、カテーテル１００は、自然状態の最先端部１６０、先端部１３０、及び中間部１２０を有する形状に復帰する。この際、カテーテル１００が自然状態の形状に戻ることで、カテーテル１００の最先端部１６０は、左冠状動脈ＬＣへの左冠状動脈開口部Ｏ１に向けられて挿入される。
【００３１】
また、カテーテル１００の中間部１２０は、左冠状動脈ＬＣの左冠状動脈開口部Ｏ１の反対側に位置する上行大動脈ＡＳの壁に接触する。この際、カテーテル１００の中間部１２０は、隣り合う第２曲り部１２１が形成する平面が左冠状動脈ＬＣの左冠状動脈開口部Ｏ１の反対側に位置する上行大動脈ＡＳの壁に接触するように形状付けされているため、カテーテル１００に高いバックアップ力が生じる。さらに、カテーテル１００の最先端部１６０を左冠状動脈開口部Ｏ１に留置した際、カテーテル１００を血管内で良好に固定することができ、左冠状動脈ＬＣの左冠状動脈開口部Ｏ１からカテーテル１００の最先端部１６０が外れにくい。
【００３２】
このような操作により、術者は、左冠状動脈ＬＣの左冠状動脈開口部Ｏ１へのカテーテル１００の留置を完了する。なお、カテーテル１００は、カテーテル１００の最先端部１６０を左冠状動脈ＬＣの左冠状動脈開口部Ｏ１に留置した際、先端部１３０の基端側及び中間部１２０が左冠状動脈ＬＣの左冠状動脈開口部Ｏ１の反対側に位置する上行大動脈ＡＳの壁と当接する。また、シャフト部１１０の先端側は、腕頭動脈ＢＲの内壁に当接する。
【００３３】
左冠状動脈ＬＣの左冠状動脈開口部Ｏ１へカテーテル１００の留置が完了した後、術者は、カテーテル１００のハブ１４０にＹコネクターを接続し、カテーテル１００の内腔を通じて造影剤を左冠状動脈ＬＣ内に注入して病変部等の状態を確認する。そして、術者は、病変部等の状態を確認した後、カテーテル１００の内腔を通じて、血管内画像診断装置等の診断用デバイスやバルーンカテーテル等の治療用デバイスを左冠状動脈ＬＣ内に導入し、病変部等の治療を行う。
【００３４】
本実施形態の作用効果を述べる。
【００３５】
カテーテル１００は、中間部１２０が、２つの第２曲り部１２１によって形成される波形領域を含み、平面的な広がりを有する。具体的には、第２曲り部１２１は、第１曲り部１３１と異なる方向に湾曲しており、かつ、中間部１２０及びシャフト部１１０を第２平面Ｐ２に投影した際、波形領域の振幅が最も小さくなる第２平面Ｐ２と直交する方向に湾曲している。そのため、中間部１２０は、カテーテル１００の先端部１３０の第１曲り部１３１とは異なる方向に、前記第２曲り部１２１により形成される平面的な広がりを有している。したがって、カテーテル１００は、カテーテル１００の最先端部１６０が左冠状動脈開口部Ｏ１に挿入されると、そのような平面的広がりを有する中間部１２０が、左冠状動脈ＬＣの左冠状動脈開口部Ｏ１の反対側に位置する上行大動脈ＡＳの壁と接する。これにより、カテーテル１００は、中間部１２０と上行大動脈ＡＳの壁との間で広い接触面積を有するため、バックアップ力を向上させることができる。また、術者は、カテーテル１００の最先端部１６０を左冠状動脈ＬＣの左冠状動脈開口部Ｏ１に強固に固定できる。
【００３６】
例えば、左冠状動脈開口部Ｏ１に留置したカテーテル１００を通じて造影剤の注入またはバルーンカテーテル等の治療用デバイスの導入が行われる際、カテーテル１００内を移動する造影剤またはデバイス１５０からカテーテル１００に対しずれを生じさせるような力が加わる。しかし、本実施形態では大きなバックアップ力がカテーテル１００に作用する結果、カテーテル１００が安定的に保持され、カテーテル１００の先端が左冠状動脈ＬＣの左冠状動脈開口部Ｏ１から外れ難い。従って、術者は手技を円滑かつ確実に進められる。
【００３７】
また、カテーテル１００は、上行大動脈ＡＳの内壁のうち、左冠状動脈ＬＣの左冠状動脈開口部Ｏ１に対向する側の内壁に接する。その内壁からの反作用によって、カテーテル１００には最先端部１６０を左冠状動脈開口部Ｏ１に挿入する方向に力が加わる。そのため、カテーテル１００の最先端部１６０が左冠状動脈開口部Ｏ１から外れ難い。
【００３８】
カテーテル１００では、中間部１２０が先端部１３０に対し仮想の投影面Ｐ２と交差する方向に曲がっている。カテーテル１００が血管内に挿入されたとき、中間部１２０が第２曲り部１２１で血管内壁と接することによって、投影面Ｐ２と交差する方向へのカテーテル１００のぶれが抑制される。従って、このようなぶれに対するカテーテル１００の安定性が増す。特に、本実施形態では、中間部１２０は複数の第２曲り部１２１で血管内壁に接するため、そのような安定性が高い。
【００３９】
また、中間部１２０の波形領域がＳ字状に曲がった形状である場合、シャフト部１１０の軸まわりに回転させる力が加わったとき、複数の第２曲り部１２１で血管内壁と緩衝し、回転を阻害する反力が血管内壁から作用し易い。従って、軸まわりの回転に対するカテーテル１００の安定性が増す。
【００４０】
さらに、中間部１２０のＳ字状に曲がった形状が点対称である場合には、この構成によって、中間部１２０の複数の第２曲り部１２１に対し、カテーテル１００の回転を阻害する反力が血管内壁からバランス良く作用する。従って、軸まわりの回転に対する安定性のさらなる向上が期待できる。
【００４１】
本発明は、上述した実施形態に限定されるものではなく、特許請求の範囲内で種々改変できる。
【００４２】
例えば、カテーテルの先端部の曲りの形状は、上記実施形態に限定されない。カテーテルの先端部の曲りの形状として、公知の形状を適用できる。例えば、カテーテルの先端部の形状は、上記実施形態のような左冠状動脈用のジャドキンスタイプの先端部形状の他に、右冠状動脈用のジャドキンスタイプの先端部形状、アンプラッツタイプの左冠状動脈用または右冠状動脈用の先端部形状であってもよい。これらのうち、右冠状動脈用の場合、カテーテルの先端は、右冠状動脈開口部Ｏ２（図２、図４参照）に挿入される。
【００４３】
また、例えば、図５に示すカテーテル２００は、図５に示すような形状の先端部２３０を有し、その基端側に中間部２２０を有している。また、中間部２２０には、上記実施形態の中間部１２０の波形領域と同様の構成を有する波形領域２２１が設けられていてもよい。図５に示すカテーテル２００は、中間部２２０の基端側に自然状態において曲った形状を有する第３曲り部２３１を有する点で、上記実施形態の図１に示すカテーテル１００と異なる。このような構成にすることにより、第３曲り部２３１は、ＴＲＩ（Ｔｒａｎｓ  Ｒａｄｉａｌ  Ｉｎｔｅｒｖｅｎｔｉｏｎ）を用いてカテーテル２００の最先端部を冠状動脈開口部に留置する際、腕頭動脈ＢＲから大動脈弓ＡＯへの方向転換する部分に一致する。例えば、術者は、カテーテル２００が第３曲り部２３１を有するため、腕頭動脈ＢＲから大動脈弓ＡＯに挿入されたカテーテル２００内からガイドワイヤを引き抜いてカテーテル２００を自然状態の形状に復帰させる際、カテーテル２００の最先端部を左冠状動脈開口部に向けて容易かつ迅速に導入することができる。そのため、術者は、図５に示すカテーテル２００を用いて、ＴＲＩでより容易に冠状動脈の治療を行うことができる。ここで、ＴＲＩとは、手首の動脈（例えば、橈骨動脈）から冠状動脈開口部（左冠状動脈開口部又は右冠状動脈開口部）までカテーテルを挿入し、冠状動脈の治療を行う手技である。なお、図５に示すカテーテル２００において、シャフト部１００、ハブ１４０は、上記実施形態と同様である。
【００４４】
中間部の曲りの形状は、上記実施形態に限定されない。例えば、上記実施形態では、中間部１２０は、互いに反対方向に凸となった２つの第２曲り部１２１が形成されるように曲がっているが、３つ以上の第２曲り部１２１が交互に反対方向に凸となるように形成されてもよい。
【００４５】
上記実施形態において、カテーテル１００は、腕の動脈を通じ左冠状動脈開口部Ｏ１に導入されるが、導入経路はこれに限定されず、他の導入経路であってもよい。例えば、カテーテル１００は、大腿動脈から導入され、下行大動脈から大動脈弓ＡＯ（図２、図４参照）を経て上行大動脈ＡＳに入り、左冠状動脈開口部Ｏ１に向かってもよい。
【００４６】
また、本発明は、ＰＣＩ、ＰＴＣＡに用いられるカテーテルに限定されず、心臓以外の他の器官で用いられる造影用カテーテルおよびガイディングカテーテルを含む。
【符号の説明】
【００４７】
１００、２００    カテーテル（医療用長尺体）、
１１０    シャフト部、
１２０    中間部、
１２１    第２曲り部、
１３０    先端部、
１３１    第１曲り部、
１４０    ハブ、
１６０    最先端部、
２２０    中間部、
２２１    波形領域、
２３０    先端部、
２３１    第３曲り部、
ＡＯ    大動脈弓、
ＡＳ    上行大動脈、
ＢＲ    腕頭動脈、
ＬＣ    左冠状動脈、
Ｏ１    左冠状動脈開口部、
Ｏ２    右冠状動脈開口部。
【図１】
2015188652.tif 000003
【図２】
2015188652.tif 000004
【図３】
2015188652.tif 000005
【図４】
2015188652.tif 000006
【図５】
2015188652.tif 000007